(57)【要約】【課題】試料の各測定点から得られる測定光に蛍光が含まれている場合でも、蛍光だけを別途特定せずとも良好なラマンイメージングを得られるラマンイメージング装置を提供する。【解決手段】試料中の測定点で発生するラマン散乱光を含む測定光の強度を示す強度データに基づいて、試料のラマンイメージングデータを生成するラマンイメージング装置であって、試料中の各測定点に対応する強度データの示す強度が、測定光の検出された光検出器の飽和強度に基づいて定められる除外閾値以上の値であるかどうかを判定する判定部と、試料中の各測定点に対応する強度データのうち、前記判定部で前記除外閾値以上の値の強度を示すと判定された強度データ以外の強度データに基づいて、ラマンイメージングデータを生成するイメージ生成部と、を備えた。【選択図】図1
2019086445.tif 000002
【特許請求の範囲】
【請求項１】
試料中の測定点で発生するラマン散乱光を含む測定光の強度を示す強度データに基づいて、試料のラマンイメージングデータを生成するラマンイメージング装置であって、
試料中の各測定点に対応する強度データの示す強度が、測定光の検出された光検出器の飽和強度に基づいて定められる除外閾値以上の値であるかどうかを判定する判定部と、
試料中の各測定点に対応する強度データのうち、前記判定部で前記除外閾値以上の値の強度を示すと判定された強度データ以外の強度データに基づいて、ラマンイメージングデータを生成するイメージ生成部と、を備えたラマンイメージング装置。
【請求項２】
強度データがスペクトル強度を示すものであって、
スペクトル強度のうち、前記イメージ生成部で使用される波数範囲を指定する範囲指定部をさらに備え、
前記判定部が、前記範囲指定部が指定した波数範囲内において、スペクトル強度中の各波数の強度が前記除外閾値以上の値であるかどうかをそれぞれ判定するように構成されている請求項１記載のラマンイメージング装置。
【請求項３】
強度データがスペクトル強度を示すものであって、
前記判定部が、スペクトル強度中の各波数の強度が前記除外閾値以上の値であるかどうかをそれぞれ判定するように構成されており、
前記イメージ生成部が、試料中の各測定点に対応する強度データのうち、前記判定部で少なくとも１つの波数の強度が前記除外閾値以上の強度を示すと判定された強度データ以外の強度データに基づいて、ラマンイメージングデータを生成するように構成されている請求項１又は２記載のラマンイメージング装置。
【請求項４】
試料中の各測定点について、試料中の測定点の位置を示す位置データ、及び、前記位置データの示す位置の測定点に対応する強度データからなる測定データを記憶する測定データ記憶部をさらに備え、
前記イメージ生成部が、
前記判定部で前記除外閾値以上の値の強度を示すと判定された強度データを含む測定データに対応する測定点を解析不使用点に設定し、前記判定部で前記除外閾値以上の値の強度を示す強度データではないと判定された強度データを含む測定データに対応する測定点を解析使用点に設定する設定部と、
各解析使用点に対応する測定データのみが入力され、測定データ中の強度データの示すラマンスペクトルに基づいて解析し、各解析使用点における対象物質の有無又は量を出力する解析部と、
前記解析部の解析結果に基づいて、ラマンイメージングデータを出力する出力部と、を備えた請求項１乃至３いずれかに記載のラマンイメージング装置。
【請求項５】
前記解析部が、強度データに基づいて多変量解析により解析するように構成された請求項４記載のラマンイメージング装置。
【請求項６】
強度データがスペクトル強度を示すものであって、
前記イメージ生成部が、所定の波数以下の強度にスペクトル強度だけに基づいて、ラマンイメージングデータを生成するように構成されている請求項１乃至５いずれかに記載のラマンイメージング装置。
【請求項７】
試料に対して光を照射する光源と、試料の各測定点で発生するラマン散乱光を含む測定光の強度を検出する前記光検出器と、を具備するラマン測定装置と、
請求項１乃至６いずれかに記載のラマンイメージング装置と、を備えたラマンイメージングシステム。
【請求項８】
前記ラマン測定装置が、
試料の各測定点で発生した測定光のうち、所定の波数以下のもののみが通過するフィルタをさらに備えた請求項７記載のラマンイメージングシステム。
【請求項９】
試料中の測定点で発生するラマン散乱光を含む測定光の強度を示す強度データに基づいて、試料のラマンイメージングデータを生成するラマンイメージング方法であって、
試料中の各測定点に対応する強度データの示す強度が、測定光の検出された光検出器の飽和強度に基づいて定められる除外閾値以上の値であるかどうかを判定する判定ステップと、
試料中の各測定点に対応する強度データのうち、前記判定ステップで前記除外閾値以上の値の強度を示すと判定された強度データ以外の強度データに基づいて、ラマンイメージングデータを生成するイメージ生成ステップと、を備えたラマンイメージング方法。
【請求項１０】
試料中の測定点で発生するラマン散乱光を含む測定光の強度を示す強度データに基づいて、試料のラマンイメージングデータを生成するラマンイメージング装置用プログラムであって、
試料中の各測定点に対応する強度データの示す強度が、測定光の検出された光検出器の飽和強度に基づいて定められる除外閾値以上の値であるかどうかを判定する判定部と、
試料中の各測定点に対応する強度データのうち、前記判定部で前記除外閾値以上の値の強度を示すと判定された強度データ以外の強度データに基づいて、ラマンイメージングデータを生成するイメージ生成部と、としての機能をコンピュータに発揮させるラマンイメージング装置用プログラム。
【発明の詳細な説明】
【技術分野】
【０００１】
本発明は、試料から得られたラマン散乱光に基づいて、試料についてイメージングするラマンイメージング装置に関するものである。
【背景技術】
【０００２】
例えば試料に含まれる対象物質の分布等について分析し、視覚化するためにラマン散乱光に基づいたラマンイメージングが行われている。
【０００３】
ラマン散乱光はレイリー散乱光と比較して非常に微弱な強度を有しているため、ラマン散乱光を光検出器で検出しやすい強度にするには、試料に対して照射する励起光のエネルギーを大きくする必要がある。
【０００４】
ところが、励起光のエネルギーを大きくすると、試料から励起される蛍光の強度も大きくなり、試料の各測定点で得られる測定光のスペクトルは、ラマンスペクトルのピークが、蛍光スペクトルのピークに埋もれてしまう等して試料中の対象物質のラマンイメージングが難しくなる。
【０００５】
特に試料が生体のサンプルであったり、紙上に材料が置かれたりする場合、蛍光の影響が顕著となる。
【０００６】
このため、測定光に含まれている蛍光のピークを特定し、測定光のスペクトルから差し引くといった蛍光回避法が用いられている。
【０００７】
しかしながら、ラマンイメージングのように試料中の複数の各測定点においてラマンスペクトルを得なくてはならない場合、上記のような蛍光回避方法は実現するのは非常に手間がかかる。
【０００８】
なぜならば、各測定点で蛍光を発生する物質の種類や量は異なっており、蛍光の発光強度は異なっている。このため、すべての測定点で蛍光測定を実現できる光学系や測定条件を試料ごとに設定する必要があるからである。
【先行技術文献】
【特許文献】
【０００９】
【特許文献１】米国特許公報US 8310672号公報
【発明の概要】
【発明が解決しようとする課題】
【００１０】
本発明は、上述したような問題を鑑みてなされたものであり、試料の各測定点から得られる測定光に蛍光が含まれている場合でも、蛍光だけを別途特定せずとも良好なラマンイメージングデータを得られるラマンイメージング装置を提供することを目的とする。
【課題を解決するための手段】
【００１１】
すなわち、本発明に係るラマンイメージング装置は、試料中の測定点で発生するラマン散乱光を含む測定光の強度を示す強度データに基づいて、試料のラマンイメージングデータを生成するラマンイメージング装置であって、試料中の各測定点に対応する強度データの示す強度が、測定光の検出された光検出器の飽和強度に基づいて定められる除外閾値以上の値であるかどうかを判定する判定部と、試料中の各測定点に対応する強度データのうち、前記判定部で前記除外閾値以上の値の強度を示すと判定された強度データ以外の強度データに基づいて、ラマンイメージングデータを生成するイメージ生成部と、を備えたことを特徴とする。
【００１２】
また、本発明に係るラマンイメージング方法は、試料中の測定点で発生するラマン散乱光を含む測定光の強度を示す強度データに基づいて、試料のラマンイメージングデータを生成するラマンイメージング方法であって、試料中の各測定点に対応する強度データの示す強度が、測定光の検出された光検出器の飽和強度に基づいて定められる除外閾値以上の値であるかどうかを判定する判定ステップと、試料中の各測定点に対応する強度データのうち、前記判定ステップで前記除外閾値以上の値の強度を示すと判定された強度データ以外の強度データに基づいて、ラマンイメージングデータを生成するイメージ生成ステップと、を備えたラマンイメージング方法である。
【００１３】
このようなものであれば、各測定点においてラマンスペクトルよりも強度の強い蛍光のスペクトルが表れて、前記光検出器の飽和強度に近い、又は、飽和強度に達しているものについては、ラマンイメージングデータの生成に用いないようにできる。
【００１４】
したがって、蛍光を別途特定することなく、蛍光の影響が小さくラマンスペクトルが支配的な測定点だけでラマンイメージングデータを生成できる。
【００１５】
また、各測定点について従来のような蛍光回避法のために個別の蛍光強度を得る必要がないので、試料から測定光を得るための光学系は簡素なものにしやすく、単純な測定条件だけを設定すればよくなる。
【００１６】
例えば、試料中から存在の有無やその量を特定したい対象物質が所定の波数範囲に特徴的なラマンスペクトルバンドを生じさせる場合に、蛍光等の影響を排除しつつ、対象物質にのみ由来するスペクトル強度を使って精度の良いイメージングが実現できるようにするには、強度データがスペクトル強度を示すものであって、スペクトル強度のうち、前記イメージ生成部で使用される波数範囲を指定する範囲指定部をさらに備え、前記判定部が、前記範囲指定部が指定した波数範囲内において、スペクトル強度中の各波数の強度が前記除外閾値以上の値であるかどうかをそれぞれ判定するように構成されていればよい。なお、前記波数指定部が指定する波数の範囲は、対象物質の特徴に合わせて適宜指定されればよい。
【００１７】
試料から励起された蛍光が表れている測定点の強度データを省いてそれ以外の測定点だけでラマンイメージデータを生成するための具体的な態様としては、強度データがスペクトル強度を示すものであって、前記判定部が、スペクトル強度中の各波数の強度が前記除外閾値以上の値であるかどうかをそれぞれ判定するように構成されており、前記イメージ生成部が、試料中の各測定点に対応する強度データのうち、前記判定部で少なくとも１つの波数の強度が前記除外閾値以上の強度を示すと判定された強度データ以外の強度データに基づいて、ラマンイメージングデータを生成するように構成されていればよい。
【００１８】
蛍光の影響が強い測定点については、ラマンスペクトルに基づく試料中の対象物質の有無や量等の解析を行わないようにして、演算負荷を低減してラマンイメージングデータの出力を高速化できるようにするには、試料中の各測定点について、試料中の測定点の位置を示す位置データ、及び、前記位置データの示す位置の測定点に対応する強度データからなる測定データを記憶する測定データ記憶部をさらに備え、前記イメージ生成部が、前記判定部で前記除外閾値以上の値の強度を示すと判定された強度データを含む測定データに対応する測定点を解析不使用点に設定し、前記判定部で前記除外閾値以上の値の強度を示す強度データではないと判定された強度データを含む測定データに対応する測定点を解析使用点に設定する設定部と、各解析使用点に対応する測定データのみが入力され、測定データ中の強度データの示すラマンスペクトルに基づいて解析し、各解析使用点における対象物質の有無又は量を出力する解析部と、前記解析部の解析結果に基づいて、ラマンイメージングデータを出力する出力部と、を備えたものであればよい。
【００１９】
試料中の対象物質が既知であり、対応するラマンスペクトルが分かっている場合、あるいは、試料中の対象物質が不明であり、対応するラマンスペクトルがわからない場合でも精度よく試料中の物質の分布状態をラマンイメージングデータとして得られるようにするには、前記解析部が、強度データに基づいて多変量解析により解析するように構成されたものであればよい。
【００２０】
例えば、測定光にラマン散乱光と蛍光が含まれていても、ラマンスペクトルが蛍光のピークよりも低い波数領域にしか現れないことが分かっている場合に、さらにラマンイメージデータに蛍光の影響が表れないようにするには、強度データがスペクトル強度を示すものであって、前記イメージ生成部が、所定の波数以下の強度にスペクトル強度だけに基づいて、ラマンイメージングデータを生成するように構成されていればよい。
【００２１】
試料に対して光を照射する光源と、試料の各測定点で発生するラマン散乱光を含む測定光の強度を検出する前記光検出器と、を具備するラマン測定装置と、本発明に係るラマンイメージング装置と、を備えたラマンイメージングシステムであれば、前記ラマン測定装置の光学系を簡素なものにしつつ、試料の各測定点にあった測定条件を逐次設定しなくても、試料の良好なラマンイメージングを行うことができる。
【００２２】
測定光に蛍光が含まれていても、蛍光よりも低い波数領域のラマンスペクトルのみが前記光検出器で検出されるようにして、蛍光の影響を排除したラマンイメージングデータを生成できるようにするには、前記ラマン測定装置が、試料の各測定点で発生した測定光のうち、所定の波数以下のもののみが通過するフィルタをさらに備えたものであればよい。
【００２３】
既存のラマンイメージング装置において、例えばプログラムを更新するだけで、本発明に係るラマンイメージング装置と同様の効果を享受できるようにするには、試料中の測定点で発生するラマン散乱光を含む測定光の強度を示す強度データに基づいて、試料のラマンイメージングデータを生成するラマンイメージング装置用プログラムであって、試料中の各測定点に対応する強度データの示す強度が、測定光の検出された光検出器の飽和強度に基づいて定められる除外閾値以上の値であるかどうかを判定する判定部と、試料中の各測定点に対応する強度データのうち、前記判定部で前記除外閾値以上の値の強度を示すと判定された強度データ以外の強度データに基づいて、ラマンイメージングデータを生成するイメージ生成部と、としての機能をコンピュータに発揮させるラマンイメージング装置用プログラムを用いればよい。
【００２４】
なお、ラマンイメージング装置用プログラムは、電子的に配信されるものに限られず、ＣＤ、ＤＶＤ、ＨＤＤ、フラッシュメモリ等のプログラム記録媒体に記録されているものであってよい。
【発明の効果】
【００２５】
このように本発明に係るラマンイメージング装置によれば、各測定点で検出された測定光の強度データのうち、蛍光の影響が強くでており、ラマンスペクトルが識別しにくい測定点については排除して、対象としたいラマンスペクトルのみが表れている測定点だけでラマンイメージングデータを生成できる。したがって、試料についてラマンスペクトルに基づいて良好な画像化や視覚化を実現できる。
【図面の簡単な説明】
【００２６】
【図１】本発明の第１実施形態に係るラマンイメージング装置、及び、ラマンイメージングシステムについて示す模式図。
【図２】第１実施形態のラマンイメージング装置の構成を示す模式的機能ブロック図。
【図３】第１実施形態のラマンイメージング装置によるラマンイメージングデータの生成手順を示すフローチャート。
【図４】第１実施形態のラマンイメージング装置による除外閾値による判定の具体例を示す模式図。
【図５】第１実施形態のラマンイメージング装置により試料から検出される測定光の強度データの一例。
【図６】第１実施形態のラマンイメージング装置によりラマンイメージングされる試料の詳細。
【図７】第１実施形態のラマンイメージング装置により試料から得られたラマンイメージング。
【図８】本発明の第２実施形態に係るラマンイメージング装置、及び、ラマンイメージングシステムについて示す模式図。
【発明を実施するための形態】
【００２７】
本発明の第１実施形態に係るラマンイメージング装置１００、及び、ラマンイメージングシステム２００について各図を参照しながら説明する。
【００２８】
図１に示すように、ラマンイメージングシステム２００は、試料Ｓに対して光を照射し、試料Ｓからのラマン散乱光を含む測定光を検出するラマン測定装置１０１と、ラマン測定装置１０１で検出された測定光の強度に基づいて、試料Ｓのラマンイメージングデータを生成するラマンイメージング装置１００と、を備えている。
【００２９】
このラマンイメージング装置１００は、例えば試料Ｓとしてコピー用紙上に塗布された単層カーボンナノチューブ（以下、単層ＣＮＴとも言う。）を含むインクをイメージングするために用いられる。より具体的には、このコピー用紙上には、墨汁でも文字が記載されており、ゼラチンを分散剤とする単層ＣＮＴを含むインクはコピー用紙において墨汁が塗布されている部分のさらに上に塗布されている。
【００３０】
ラマン測定装置１０１は、図１に示すように、試料Ｓに対してレーザ光を励起光として照射する光源１１と、光源１１から射出された励起光の内、所定の波長成分だけを透過する第１バンドバスフィルタＢ１１と、励起光を試料Ｓへと反射するとともに試料Ｓから発生する測定光を透過するように設けられたハーフミラー１２と、ハーフミラー１２と試料Ｓとの間に設けられた対物レンズ１３と、ハーフミラー１２を透過した測定光のレイリー散乱成分をカットするレイリーカットフィルタ１４と、レイリーカットフィルタ１４を通過した後の測定光を集光する集光レンズ１５と、レンズの焦点に設けられたスリット１６と、スリット１６を通過した測定光を分光するグレーティング１７と、グレーティング１７で分光された測定光を検出する２次元ＣＣＤ等のマルチチャンネル検出器である光検出器１８と、試料Ｓが載置され、励起光が試料Ｓ上において照射される測定点を変更するステージ１９と、を備えている。ステージ１９の位置（ＸＹ平面の位置）を変更することで試料Ｓにおける励起光が走査されて、試料Ｓの各測定点で発生する測定光の強度が光検出器１８で検出される。
【００３１】
なお、ラマン測定装置１０１の一部の構成は、後述するラマンイメージング装置１００の機能を実現するコンピュータＣの機能を利用しても構成される。すなわち、後述するコンピュータＣにおいて、ラマン測定装置１０１のステージ１９の位置を制御する測定位置指令部１Ａとしての機能も発揮される。
【００３２】
ここで、光源１１から射出される励起光の波長は、単層ＣＮＴが径方向に拡大縮小するラジアルブリージングモード（radial breathing mode、以下ＲＢＭとも言う）に対応する波数のラマン散乱光が発生する波長に設定してある。具体的には、３５５ｎｍ以上８３０ｎｍ以下の単波長のレーザ光、又は、前述した波長範囲内の複数の波長を組み合わせたレーザ光が試料Ｓに対して照射される。波長については検出した単層ＣＮＴの直径に応じて設定される。すなわち、ＲＢＭとして表れるラマンバンドの波数は、単層ＣＮＴの直径の逆数に比例することに基づいてレーザ光の波長は適宜設定できる。
【００３３】
これらのような波長のレーザ光が試料Ｓに対して照射された場合、試料Ｓを形成するコピー用紙、コピー用紙に塗布されている墨汁からも励起光により蛍光が励起され、光検出器１８においてそのスペクトルが単層ＣＮＴのＲＢＭのラマンバンドとともに検出されることになる。
【００３４】
ラマンイメージング装置１００は、ＣＰＵ、メモリ、Ａ／Ｄコンバータ、Ｄ／Ａコンバータ、ディスプレイやキーボード等の各種入出力手段を備えたいわゆるコンピュータＣによってその機能が実現されるものである。すなわち、メモリに格納されているラマンイメージング装置１００用プログラムが実行され、各種機器が協業することによって、ラマンイメージング装置１００は、図２に示すように、少なくとも測定データ記憶部２、範囲指定部３、判定部４、イメージ生成部５としての機能を発揮するものである。
【００３５】
このラマンイメージング装置１００は、要すれば、測定データ記憶部２に記憶されている各測定点のスペクトル強度のうち、範囲指定部３により指定される波数範囲内において試料Ｓを構成するコピー用紙や墨汁において励起された蛍光の影響が強くできているものを判定部４が判定する。判定部４の判定結果に基づいて、イメージ生成部５は、蛍光の影響が強くできている測定点は用いず、それ以外の測定点で得られたスペクトル強度だけに基づいて試料Ｓにおける単層ＣＮＴのラマンイメージングデータを生成するように構成してある。
【００３６】
各部について詳述する。
【００３７】
測定データ記憶部２は、ラマン測定装置１０１で検出される試料Ｓの各測定点の測定データを記憶する。測定データは、測定位置指令部１Ａにおいてステージ１９に対して指示されている測定点の位置座標を示す位置データと、位置データに対応する測定点において光検出器１８で検出されたスペクトル強度を示す強度データと、からなる。すなわち、ラマン測定装置１０１において測定点が変更されるごとに、測定データ記憶部２には、その測定点に対応する測定データが蓄積されることになる。
【００３８】
範囲指定部３は、測定されたスペクトル強度のうち、イメージ生成部５においてラマンイメージングのために用いられる波数範囲を指定するものである。第１実施形態では試料中における対象物質である単層ＣＮＴの直径ごとの分布をイメージングすることを目的としている。このため、範囲指定部３は、単層ＣＮＴのＲＢＭに対応するラマンバンド中のスペクトル強度のみがイメージ生成部５において用いられるようにその波数範囲を指定する。ＲＢＭに対応するラマンスペクトルは、コピー用紙や墨汁により発生する蛍光よりも低い波数領域に発生するのでそのような蛍光による影響を低減できる。また、ＲＢＭは単層ＣＮＴに特有のラマンバンドであるため、ＲＢＭ以外の波数領域のスペクトル強度を加味しなくても、単層ＣＮＴの分布を精度よくイメージングすることが可能である。言い換えると、単層ＣＮＴ以外の対象物質の分布をイメージングしたい場合には、その対象物質に応じた特有のラマンバンドがあるならば、その波数領域に範囲指定部３が範囲を指定するようにしてもよい。
【００３９】
判定部４は、各測定点に対応する測定データを構成する強度データの示すスペクトル強度において、範囲指定部３が指定する指定スペクトル領域中の各波数の強度の値が、除外閾値以上かどうかを判定する。このように判定部４を構成することで、例えばＲＢＭのラマンバンドの各波数では強度が除外閾値よりも小さく、ＲＭＢのラマンバンドよりも高い波数において除外閾値以上の強度が存在する場合でも、後述するイメージ生成部５において使用されなくなるといった問題が起きない。除外閾値は、ラマン測定装置１０１の光検出器１８の飽和強度に基づいて設定してある。第１実施形態では、飽和強度よりも１０％〜２０％小さい強度を除外閾値に設定している。なお、除外閾値は飽和強度に基づいて適宜設定すればく、この例に限られるものではない。
【００４０】
イメージ生成部５は、試料Ｓ中の各測定点に対応する測定データに含まれる強度データのうち、判定部４で１つの波数の強度でも除外閾値以上の場合には、その測定点の測定データを用いず、それ以外の測定データに基づいて、試料Ｓのラマンイメージングデータを生成する。
【００４１】
具体的には、イメージ生成部５は、判定部４の判定結果に基づいてラマンイメージングデータを生成するのに用いる測定点の測定データを設定する設定部５１と、設定部５１の設定結果に基づいて一部の測定点の測定データについて解析し、その測定点における対象物質ＯＢである単層ＣＮＴの有無、又は、単層ＣＮＴの量に関する値を出力する解析部５２と、解析部５２の解析結果に基づいてラマンイメージングデータを出力する出力部５３と、を備えている。
【００４２】
設定部５１は、記判定部４で除外閾値以上の値の強度を示すと判定された強度データを含む測定データに対応する測定点を解析不使用点に設定する。また、判定部４で前記除外閾値以上の値の強度を示す強度データではないと判定された強度データを含む測定データに対応する測定点を解析使用点に設定する。例えば、設定部５１は、各測定点に対応する測定データに対して、解析不使用点又は解析使用点のいずれであるかを示す識別子を付与する。
【００４３】
解析部５２は、解析使用点に対応する測定データのみが入力される。解析部５２に入力された測定データの強度データは、解析部５２によって多変量解析が行われ、解析使用点に設定された測定点における単層ＣＮＴの有無、及び、単層ＣＮＴの存在数が出力される。多変量解析は、ＰＣＡ、ＭＣＲ、ＣＬＳ等様々なものが用いられる。また、教師あり、教師なしいずれであっても構わない。
【００４４】
さらに解析部５２は、強度データの示すスペクトル強度のうち、所定の波数以下のスペクトル強度だけに限定して、多変量解析を行い、試料Ｓ中の解析使用点における単層ＣＮＴの存在数を出力するようにしている。より具体的には、解析部５２は、強度データのうち範囲指定部３により指定されている波数範囲内であるＲＢＭのラマンバンド内のスペクトル強度だけを用いて多変量解析を行うように構成してある。言い換えると、強度データに含まれる全ての波数の強度を多変量解析には用いておらず、限定された波数領域の強度データだけで解析が行われる。第１実施形態では試料Ｓ中の対象物質ＯＢである単層ＣＮＴを検出することを目的としているのでＲＢＭのラマンバンドに対応する波数領域を多変量解析に用いている。すなわち、所定の波数は４００ｃｍ−１に設定してある。
【００４５】
出力部５３は、解析部５２において使用された解析使用点の位置データと、解析部５２で出力されるその解析使用点の単層ＣＮＴの存在数に応じた色を設定したラマンイメージングデータを出力する。なお、出力部５３は解析不使用点に対応する位置については歯抜けデータとして取り扱い透明化処理する、あるいは、単層ＣＮＴが存在しない場合の色と同様に設定する。
【００４６】
このように構成されたラマンイメージングシステム２００の動作について図３に示すフローチャートを参照しながら説明する。
【００４７】
まず、ラマン測定装置１０１によって試料Ｓの各測定点のスペクトル強度が測定される（ステップＳ１）。測定された測定点の位置と、その測定点で得られたスペクトル強度がラマンイメージング装置１００の測定データ記憶部２に測定データとして記憶される（ステップＳ２）。具体的には、逐次ステージ１９を移動させて試料Ｓの測定点に励起光が照射されるように移動させ、その時のスペクトル強度が測定され、測定データが測定データ記憶部２に取り込まれる。
【００４８】
次に範囲指定部３は、各強度データにおいて、判定部４及びイメージ生成部５において使用される波数範囲を指定する（ステップＳ３）。例えば、コンピュータの入力手段によってユーザにより入力された波数範囲に指定する。
【００４９】
測定点で得られた測定データの示すスペクトル強度について、判定部４は範囲指定部３により指定された波数範囲内の各波数の強度について除外閾値以上かどうかを判定する（ステップＳ４）。
【００５０】
判定部４が、１つの波数の強度だけでも除外閾値以上が有ると判定している場合には、設定部５１は、その測定データに対応する測定点を解析不使用点に設定し、ラマンイメージングには使用しないようにする（ステップＳ５）。
【００５１】
一方、判定部４が、全ての波数の強度が除外閾値未満であると判定している場合には、設定部５１はその測定データに対応する測定点を解析使用点に設定し、ラマンイメージングに使用するようにする（ステップＳ６）。
【００５２】
ここで、範囲指定部３、判定部４、設定部５１による動作を簡単な例でさらに説明する。図４（ａ）は試料の一部の領域で１〜９までの測定点があることを示し、図４（ｂ）は１〜９までの測定点でそれぞれ得られたスペクトル強度を示す。図４（ｂ）の２本の細線内で示される波数領域が波数指定部により指定されている領域であり、点線が除外閾値を示す。４番の強度スペクトルは、ＲＢＭのラマンバンド外の領域で除外閾値を超えているが、範囲指定部３により指定された波数範囲では除外閾値を超えている強度は無いので４番の測定点で得られた測定データは、イメージ生成部５で使用されることになる。逆に１番、３番、５番の測定点については範囲指定部３により指定された波数範囲内で除外閾値以上の強度があるので、イメージ生成部５において使用されない。
【００５３】
解析部５２には、解析使用点に設定されて、除外されなかった測定点についてのみ多変量解析を行い、その測定点における単層ＣＮＴの有無、又は、その存在量を示す値を出力する（ステップＳ６）。ここで、解析部５２は、各解析使用点に対応する出力データのうち、所定の波数以下の領域のデータのみを多変量解析する。なお、解析使用点に指定されて多変量解析されるスペクトル強度データの一例を図５に示す。図５のスペクトルに示すように、４００ｃｍ−１以下の波数領域にある単層ＣＮＴのＲＢＭに対応するラマンバンドが含まれる領域のみが多変量解析の対象となる。４００ｃｍ−１以下の波数領域において蛍光の影響がほとんどなく、ＲＢＭに対応するスペクトルがほぼ表れている。なお、４００ｃｍ−１よりも大きい波数においてスペクトル強度が大きくなっている部分は、試料Ｓを構成するコピー紙又は墨汁において励起された蛍光の影響で強度が除外閾値内で大きくなっている部分である。この４００ｃｍ−１よりも大きい波数領域の強度は多変量解析においては無視され使用されない。
【００５４】
出力部５３は、解析部５２の解析結果に基づき、解析使用点については単層ＣＮＴの量に応じた色を設定した画像を示すラマンイメージングデータを出力する（ステップＳ７）。ここで、解析不使用点については多変量解析結果が存在しないので、例えば単層ＣＮＴが存在しない場合の色が設定されている。このように試料Ｓの測定領域全体について単層ＣＮＴの存在量に応じた色分けがされた画像を示すラマンイメージングデータが生成され、ディスプレイに表示される。
【００５５】
次に、第１実施形態のラマンイメージング装置１００、及び、ラマンイメージングシステム２００によって、試料Ｓにおける単層ＣＮＴの分布をイメージングした実験結果について示す。図６（ａ）は試料Ｓを示す光学顕微鏡写真であり、図６（ｂ）はコピー用紙、単層ＣＮＴ、墨汁のそれぞれからどのようなラマンスペクトルが表れるかについて実測した結果を示す。なお、グラフ中において左端部分がＲＢＭのラマンバンドに対応する部分であり範囲指定部３により指定される波数領域である。
【００５６】
図７に示すように第１実施形態のラマンイメージング装置１００、及び、ラマンイメージングシステム２００によれば、コピー用紙上の墨汁のさらに上に塗布された単層ＣＮＴを含むインクの部分だけがラマンイメージングできていることが分かる。また、単層ＣＮＴで不服されている領域からは蛍光が発生していないことも分かる。
【００５７】
このように構成された第１実施形態のラマンイメージング装置１００、及び、ラマンイメージングシステム２００によれば、墨汁と単層ＣＮＴを含むインクのように黒色で同色の関係にあり、目視では識別できないようなものであっても、単層ＣＮＴが塗布されている部分の形状をラマンイメージングデータで明確に得ることができる。
【００５８】
このように明確な単層ＣＮＴが塗布されている領域の像を得られているのは、測定光がラマンスペクトルとコピー紙又は墨汁の蛍光が励起光により励起されていてもそのピークの影響が強く出ている測定点については解析されず、ラマンイメージに使用されていないからである。
【００５９】
また、単層ＣＮＴのＲＢＭに対応するラマンバンドが含まれとともに、蛍光が発生しにくい低波数領域の強度データで多変量解析を行っていることも、試料Ｓにおいて単層ＣＮＴの塗布されている部分のみの像を明確に得ることに寄与している。
【００６０】
さらに、単層ＣＮＴの直径の逆数はＲＢＭのラマンバンドにおけるピーク波数と比例しているので、多変量解析によって、紙や墨汁の上にある単層ＣＮＴの直径ごとの分布を示すラマンイメージングデータも得ることも可能である。
【００６１】
単層ＣＮＴは、製造方法によって直径の分布が固有となる性質があるので、単層ＣＮＴの直径ごとの分布がイメージングできれば、単層ＣＮＴを含むインクが同じ製造ロットで製造されたものかどうかについても識別できる。さらに、単層ＣＮＴの直径制御合成技術が進歩し、直径分布を自由に制御できれば、単層ＣＮＴを含んだインクが塗布された部分自体を固有の識別タグとして用いることが可能となる。すなわち、単層ＣＮＴを含んだインクの直径分布を記録したデータベースを作成しておき、第１実施形態のラマンイメージングシステム２００等で印刷されている単層ＣＮＴの直径分布を取得すれば、異動識別を実現できる。
【００６２】
また、単層ＣＮＴを含んだインクは様々な形状に印刷することができるので、バーコードやＱＲコード（登録商標）等の上にさらに単層ＣＮＴを含むインクを塗布し、識別タグとして併用できる。
【００６３】
また、励起光が可視域の波長であれば、黒色の単層ＣＮＴの少なくとも一部の成分共鳴ラマン現象を起こし、単層ＣＮＴのＲＢＭに対応するラマンバンドを得ることが可能である。したがって、例えば蛍光によるイメージングのようにラマン測定装置１０１の光源１１について特定波長の光源１１にする必要がない。
【００６４】
さらに、試料Ｓを構成するコピー紙又は墨汁の蛍光が各測定点においてどのような強度で発生しているかについては特定しなくても、試料中の対象物質が明瞭に表れるラマンイメージングデータを得ることができる。このため、従来のラマンイメージング装置１００のように、蛍光のピークを特定するために特殊な光学系を用意したり、各測定点で蛍光のピークを特定できるような測定条件を設定したりする必要がない。
【００６５】
次に第２実施形態に係るラマンイメージング装置１００、及び、ラマンイメージングシステム２００について図６を参照しながら説明する。なお、第１実施形態で説明した部材に対応する部材には同じ符号を付すこととする。
【００６６】
第２実施形態のラマンイメージングシステム２００は、ラマン測定装置１０１の構成が第１実施形態とは異なっている。
【００６７】
すなわち、図８に示すように、第２実施形態のラマン測定装置１０１はレイリーカットフィルタ１４以降の構成が異なっている。具体的に、このラマン測定装置１０１は、レイリーカットフィルタ１４を通過した測定光について単層ＣＮＴのＲＢＭに対応する波長領域の光のみを通過させるバンドパスフィルタと、バンドパスフィルタを通過した測定光を集光する集光レンズ１５と、集光レンズ１５により集光された測定光の強度を検出する光検出器１８としてＣＣＤと、を備えている。具体的にはバンドパスフィルタは、４００ｃｍ−１以下の波数領域の光のみが透過するように構成されている。
【００６８】
このように構成された第２実施形態のラマン測定装置１０１では、分光器が存在しないため、光検出器１８で検出される強度は、単層ＣＮＴの直径によらず、ＲＢＭ全体の強度をまとめた形で１つの強度となる。言い換えると、強度データが示すのがスペクトル強度ではなく、単一の強度となる。
【００６９】
また、ＲＢＭに対応する低波数領域では、そもそも試料Ｓを構成する紙や墨汁からの蛍光が発生しにくいので、得られる強度データにおける蛍光の影響をより低減できる。加えて、第１実施形態のように解析部５２が、解析する波数領域を限定しなくても、自然と単層ＣＮＴのＲＢＭに対応する波数領域の強度だけで解析を行い、各測定点に単層ＣＮＴが有るかないかを明確に示すラマンイメージングデータを得ることができる。
【００７０】
なお、第２実施形態でも単一の強度が除外閾値以上の場合には、判定部４及び設定部５１の動作によってその測定点は解析不使用点に設定されるので、例えば単層ＣＮＴのインクの上にさらに蛍光を発生させる物質が付着している場合には、解析が行われず、単層ＣＮＴの有無については判定されない。したがって、第１実施形態と同様に第２実施形態のラマンイメージングシステム２００でも、蛍光の影響を受けて、不正確なラマンイメージングが実施されるのを防ぐことができる。
【００７１】
その他の実施形態について説明する。
【００７２】
第１実施形態では、スペクトル強度の少なくとも１つの波数で除外閾値以上のものがある場合には、その強度データが得られた測定点を解析不使用点に設定していたが、例えば２つ以上の波数で除外閾値以上となった場合に解析不使用点に設定してもよい。
【００７３】
第１実施形態において、試料中の単層ＣＮＴをＲＢＭに対応するラマンバンドでイメージングすることを目的とする場合には、判定部を省略し、ＲＢＭに対応するラマンバンドの波数領域のみで多変量解析を実施するようにしても構わない。このようなものであっても、ＲＢＭに対応するラマンバンドの波数領域では蛍光が発生しにくい、また、発生したとしても単層ＣＮＴ自体に吸収されて測定光には表れないので、試料中における単層ＣＮＴの明確な像を得ることができる。
【００７４】
逆に、除外閾値を超える強度が測定された測定点が解析不使用点に設定されるように構成されているならば、測定されている全波数領域の強度を用いて多変量解析を行い試料中の単層ＣＮＴの有無や量に基づいたラマンイメージングデータを得てもよい。
【００７５】
試料については、細胞や生体組織等の生体試料やその他のものであってもよく、そのような試料中に含まれる対象物質の有無や量に応じたラマンイメージングデータを得てもよい。
【００７６】
判定部はラマン測定装置で測定された測定データが測定データ記憶部に記憶されてから除外閾値以上かどうかを判定するように構成されていたが、強度データのみが得られた時点で判定を行い、除外閾値以上の場合には測定データとして測定データ記憶部に記憶させないようにしてもよい。逆に、測定データが除外閾値以上の波数点を持っていても、その波数が範囲指定部により指定される指定波数領域以外であればデータ記憶部に記憶する。あるいは、指定波数領域まで、波数点を減らし、指定波数領域のスペクトル強度に対して、除外閾値以上の波数点を含むかどうかを判定しても良い。
【００７７】
励起光を試料に対して走査するには、ステージを用いるのではなく、励起光自体の照射位置を変更するように光源又は光学系を構成してもよい。試料の所定領域内に励起光を照射し、ワンショットで所定領域全体の測定光の強度が検出されるようにしてもよい。
【００７８】
その他、本発明の趣旨に反しない限りにおいて各実施形態の一部同士を組み合わせたり、変形したりしても構わない。
【符号の説明】
【００７９】
２００・・・ラマンイメージングシステム
１００・・・ラマンイメージング装置
１０１・・・ラマン測定装置
１１  ・・・・光源
１８  ・・・光検出器
３    ・・・判定部
４    ・・・イメージ生成部
４１  ・・・設定部
４２  ・・・解析部
４３  ・・・出力部
【図１】
2019086445.tif 000003
【図２】
2019086445.tif 000004
【図３】
2019086445.tif 000005
【図４】
2019086445.tif 000006
【図５】
2019086445.tif 000007
【図６】
2019086445.tif 000008
【図７】
2019086445.tif 000009
【図８】
2019086445.tif 000010